(57)【要約】【課題】野地板と屋根材の間の通気性を高められる屋根構造を提供する。【解決手段】下方に開口し上方に突出する凸部１９と上方に開口し下方に凹む凹部２０とが軒に沿う方向に交互に形成された凹凸屋根材１８を備える。凹凸屋根材１８が野地板５上に設けられて凸部１９と野地板５との間に通気空間２４が形成される。凹凸屋根材１８は軒棟方向において野地板５の軒側端縁よりも屋外側に突出する出代部２５を有している。出代部２５における凸部１９で構成された導入部２６の内側から通気空間２４に外気が導入されるようにした屋根構造である。出代部２５が設けられた軒先における鼻隠し３と野地板５の鼻隠し３よりも屋外側に突出した突出部６とでなす入隅部７に、上方に行く程鼻隠し３から離れる整流面部１４が設けられる。【選択図】図１
2014020042.tif 000002
【特許請求の範囲】
【請求項１】
下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に通気空間が形成され、前記凹凸屋根材は軒棟方向において前記野地板の軒側端縁よりも屋外側に突出する出代部を有し、この出代部における前記凸部で構成された導入部の内側から前記通気空間に外気が導入されるようにした屋根構造であって、前記出代部が設けられた軒先における鼻隠しと前記野地板の前記鼻隠しよりも屋外側に突出した突出部とでなす入隅部に、上方に行く程前記鼻隠しから離れる整流面部が設けられたことを特徴とする屋根構造。
【請求項２】
前記凸部の軒側端部に前記導入部の内側空間の屋外側を閉塞する閉塞部が設けられたことを特徴とする請求項１に記載の屋根構造。
【請求項３】
前記鼻隠しに沿って軒樋が設けられ、この軒樋の屋内側壁部と前記鼻隠しとの間に吸気用隙間が形成されたことを特徴とする請求項１又は請求項２に記載の屋根構造。
【発明の詳細な説明】
【技術分野】
【０００１】
本発明は野地板の上に屋根材を設けた屋根構造に関する。
【背景技術】
【０００２】
特許文献１には建造物の野地板上にスレート等の屋根材が設けられた屋根構造が開示されている。
【先行技術文献】
【特許文献】
【０００３】
【特許文献１】特開２００２−１６７９２７号公報
【発明の概要】
【発明が解決しようとする課題】
【０００４】
ところが特許文献１に示される屋根構造にあっては、野地板と屋根材の間の通気性が良くない。
【０００５】
本発明は上記事情に鑑みてなされたものであって、野地板と屋根材の間の通気性を高められる屋根構造を提供することを課題とする。
【課題を解決するための手段】
【０００６】
上記課題を解決するために本発明の屋根構造は、下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に通気空間が形成され、前記凹凸屋根材は軒棟方向において前記野地板の軒側端縁よりも屋外側に突出する出代部を有し、この出代部における前記凸部で構成された導入部の内側から前記通気空間に外気が導入されるようにした屋根構造であって、前記出代部が設けられた軒先における鼻隠しと前記野地板の前記鼻隠しよりも屋外側に突出した突出部とでなす入隅部に、上方に行く程前記鼻隠しから離れる整流面部が設けられたことを特徴とする。
【０００７】
また、前記凸部の軒側端部に前記導入部の内側空間の屋外側を閉塞する閉塞部が設けられることが好ましい。
【０００８】
また、前記鼻隠しに沿って軒樋が設けられ、この軒樋の屋内側壁部と前記鼻隠しとの間に吸気用隙間が形成されることが好ましい。
【発明の効果】
【０００９】
本発明にあっては、凹凸屋根材の凸部と野地板との間に外気を通過させる通気空間を形成することができ、野地板と凹凸屋根材の間の通気性を高めることができる。また、導入部の内側に至った外気を出代部における凸部の上面部により棟側に誘導することができ、通気空間の通気性を高めることができる。また、鼻隠しの屋外側の面に沿って上昇する外気を整流面部によって導入部内側に向かうように整流することができ、これにより外気が導入部内側に向かう際の圧力損失が小さくなり、通気空間の通気性を高めることができる。
【図面の簡単な説明】
【００１０】
【図１】本発明の実施形態の屋根構造における軒側部分を示す断面図である。
【図２】同上の屋根構造において一部の凹凸屋根材等の図示を省略した斜視図である。
【図３】同上の屋根構造において凹凸屋根材の一部の図示を省略した斜視断面図である。
【図４】同上の凹凸屋根材同士の連結部分を示す断面図である。
【図５】同上の棟側における屋根構造を示す斜視断面図である。
【発明を実施するための形態】
【００１１】
以下、本発明を添付図面に基づいて説明する。本実施形態の屋根構造は図２に示されるように片流れ屋根を有する建物１に適用したものである。以下では、傾斜した屋根面に沿って軒と棟を結ぶ矢印Ｄ１に示す方向を軒棟方向とし、軒に沿う矢印Ｄ２に示す方向を軒方向として説明する。
【００１２】
図１に示されるように建物１の軒側外壁の上端部には屋外側に向かって突出する軒部２が形成されている。軒部２の屋外側端部には下方程屋内側に位置するように傾斜した鼻隠し３（鼻板）が設けられている。鼻隠し３は軒部２の屋外側の面を構成している。他方、建物１の棟側外壁の上端部には、図５に示されるように屋外側に向かって突出する棟部４が形成されている。
【００１３】
建物１の屋根下地は、垂木等の建築躯体上に野地板５を設けることで形成されている。野地板５は棟側から軒側に向かって一様な角度で下り傾斜している。図１に示されるように野地板５の軒側端部は鼻隠し３よりも屋外側に突出している。野地板５の軒側端面は鼻隠し３の屋外側の面と略平行である。野地板５の鼻隠し３よりも屋外側に突出した突出部６の下面は鼻隠し３の屋外側の面に対して垂直である。軒先には鼻隠し３と野地板５の突出部６によって直角の入隅部７が形成されている。
【００１４】
野地板５の軒側端部には整流部材８及び塞ぎ部材９が設けられている。整流部材８及び塞ぎ部材９は共に鋼板製である。整流部材８及び塞ぎ部材９は野地板５の軒方向の略全長に亘って設けられている。なお、整流部材８及び塞ぎ部材９は鋼板以外の金属板で形成してもよく、また、その材質は金属に限定されるものではない。また、整流部材８及び塞ぎ部材９は軒方向に複数並べて設けた部材で構成してもよいし、軒方向に亘って一体に形成したものであってもよい。
【００１５】
整流部材８は棟側に向かって突出する載置片１０を有している。載置片１０は野地板５に載置されている。整流部材８は載置片１０に加えて沿片１１及び整流片１３を有している。沿片１１は載置片１０の軒側端縁から野地板５の軒側端面に沿って斜め下方に突出している。沿片１１の下縁部は野地板５の軒側端面の下縁よりも僅かに下方に突出している。整流片１３は沿片１１の下縁から屋内側に突出している。整流片１３は屋内側に行く程下方に位置するように段階的に曲げられている。これにより、整流片１３の断面は鼻隠し３の上端部に向かって凸となる略弧状に形成されている。整流片１３の屋内側端部（下端部）は鼻隠し３の屋外側の面に当接している、または同面の近傍に配置されている。整流片１３の屋外側の面は上方に行く程鼻隠し３から徐々に離れる整流面部１４を構成している。なお、整流面部１４は整流片１３を屋内側に行く程下方に位置するように湾曲させる又は整流片１３を傾斜させる等することで形成してもよい。
【００１６】
塞ぎ部材９は野地板５と略平行な板状部１５を有している。板状部１５の棟側部分は整流部材８の載置片１０に載置されている。載置片１０及び板状部１５には上側からビスや釘等の固着具が挿通され、これら固着具を野地板５に固着することで塞ぎ部材９及び整流部材８は野地板５に固定されている。また、この固着具により塞ぎ部材９と整流部材８は連結されている。なお、塞ぎ部材９及び整流部材８はその他の態様により建物１の躯体側に固定されるものであってもよい。例えば、整流部材８の載置片１０を塞ぎ部材９の板状部１５に溶接や接着により接続し、この載置片１０及び板状部１５を野地板５に固定してもよい。また、塞ぎ部材９と整流部材８を一体に形成し、これを野地板５に取り付ける等してもよい。このように塞ぎ部材９と整流部材８を一体的に設けることで、部材数を少なくし、また、施工の手間を軽減できる。また、整流部材８は載置片１０を省略して沿片１１を野地板５の端面部に固着する等して建物１の躯体側に取り付けられるものであってもよい。
【００１７】
塞ぎ部材９の板状部１５の屋外側部分は、野地板５の屋外側端面及び整流部材８の沿片１１よりも屋外側に突出している。この突出部分によって塞ぎ部１２が構成されている。塞ぎ部１２には多数の通気孔１６が形成されている。塞ぎ部１２の屋外側端部（板状部１５の屋外側端部）には、下側に向かって突出して沿片１１と略平行な縁片部１７が形成されている。
【００１８】
野地板５には凹凸屋根材１８が図２に示されるように軒方向に複数並べて載置されている。各凹凸屋根材１８の軒側部分は、図１に示されるように整流部材８の載置片１０及び塞ぎ部材９の板状部１５を介して野地板５に載置されている。
【００１９】
各凹凸屋根材１８は鋼板製である。なお、各凹凸屋根材１８は鋼板以外の金属板で形成してもよく、また、その材質は金属に限定されるものではない。各凹凸屋根材１８は、図２に示されるように、下方に開口し上方に突出する凸部１９と、上方に開口し下方に凹む凹部２０を有している。凸部１９と凹部２０は軒方向に交互に複数形成されている。各凸部１９の側面部は隣接する凹部２０の側面部を兼ねている。同側面部は凸部１９の上面部に対して垂直である。
【００２０】
隣り合う凹凸屋根材１８は図４に示されるように野地板５上に設けられた連結具２１を介して連結されている。各凹凸屋根材１８の連結具２１側の端部には凹部２０が形成されている。この凹部２０の外側面部には、被掛止部２７が形成されている。他方、連結具２１の両側には掛止部２２が形成されている。各凹凸屋根材１８の被掛止部２７は対応する連結具２１の掛止部２２に掛止されている。これにより、隣り合う凹凸屋根材１８は連結具２１を介して連結されている。また、各凹凸屋根材１８は連結具２１を介して野地板５に固定されている。
【００２１】
各連結具２１には軒棟方向に長いカバー部材２３が取り付けられている。各カバー部材２３は下方に開口する溝形に形成されている。各カバー部材２３の両側面部には被係合部３４が形成されている。各カバー部材２３の両側の被係合部３４は、対応する凹凸屋根材１８の被掛止部２７に係合されている。これにより各カバー部材２３は凹凸屋根材１８を介して連結具２１に取り付けられている。隣り合う凹凸屋根材１８の間の部分、及びここに配置された連結具２１は、カバー部材２３によって上側から覆われている。
【００２２】
図１に示されるように野地板５とこの上に配置された各凹凸屋根材１８の間には、通気空間２４が形成されている。通気空間２４は凸部１９と野地板５とで囲まれた空間である。通気空間２４は軒方向に凸部１９と同数形成されている。各通気空間２４は、軒棟方向と直交する断面において矩形状に形成されており、凹凸屋根材１８の軒棟方向における略全長に亘って形成されている。
【００２３】
図１に示されるように各凹凸屋根材１８の軒側端部は、軒棟方向において野地板５の軒側端縁よりも屋外側に突出した出代部２５を構成している。各凹凸屋根材１８の出代部２５における凸部１９、すなわち、各凸部１９の軒側の端部は下方に開口している。これら出代部２５における各凸部１９は、対応する通気空間２４に外気（屋外の空気）を導入する導入部２６を構成している。すなわち通気空間２４には断面溝形の導入部２６の内側から外気が導入されるようになっている。また、図４に示されるように凹凸屋根材１８の凸部１９の棟側端部と野地板５で囲まれた開口によって、通気空間２４の導出部２８が構成されている。すなわち前記通気空間２４に導入された外気は導出部２８から外部に排出されるようになっている。なお、棟部４には導出部２８を隠すカバー２９が設けられている。このカバー２９によって導出部２８から通気空間２４に雨水等が浸入し難くなっている。
【００２４】
図１に示されるように野地板５よりも屋外側に突出した塞ぎ部１２は、各導入部２６の内側空間の下側を塞ぐように各凹凸屋根材１８の出代部２５の下側に位置している。塞ぎ部１２の上面は出代部２５における各凹部２０の下面に当接している。塞ぎ部１２の通気孔１６は、図３に示されるように各凹凸屋根材１８の各凸部１９（導入部２６）に対応する箇所に形成されている。これにより、外気は通気孔１６及び導入部２６を順に介して各通気空間２４に導入されるようになっている。また、このような通気孔１６を有する塞ぎ部１２を設けることで、雨水や小鳥、虫等が通気空間２４側に入り込み難くなっている。なお、通気孔１６は塞ぎ部１２において凸部１９に対応する箇所にのみ形成されており、凹部２０に対応する箇所には形成されていない。
【００２５】
図２に示されるように各凹凸屋根材１８の軒側端部には、凹凸屋根材１８の出代部２５と塞ぎ部材９の塞ぎ部１２との間に形成された空間（すなわち導入部２６の内側空間）の屋外側を閉塞する閉塞部材３０が取り付けられている。閉塞部材３０は各凹凸屋根材１８の軒方向の全長に亘っている。なお、閉塞部材３０は軒方向に複数並べて設けた部材で構成してもよいし、軒方向に亘って一体に形成したものであってもよい。
【００２６】
閉塞部材３０は軒棟方向と略直交する板状の閉塞部３１を有している。閉塞部３１は下覆部３２と上覆部３３とで構成されている。下覆部３２は軒方向に長い板状に形成されている。上覆部３３は下覆部３２に軒方向に間隔を介して複数形成されている。上覆部３３は下覆部３２において凸部１９に対応する箇所から上側に向かって突出している。各上覆部３３は軒棟方向から見て凸部１９と略同大同形の矩形状に形成されている。各上覆部３３は対応する凸部１９の軒側端部に配置され、導入部２６の内側空間の屋外側を閉塞している。各上覆部３３によって屋外側から雨水等が導入部２６の内側に入り難くなっている。なお、本実施形態では上覆部３３に通気孔を形成していないが、塞ぎ部１２と同様に多数の通気孔を形成してもよい。
【００２７】
図３に示されるように各上覆部３３の両側縁及び上縁には、棟側に向かって突出する嵌込片部３５が上覆部３３と一体に形成されている。上覆部３３の両側縁から突出した嵌込片部３５の間には整流部材３６が設けられている。以下、整流部材８を第一整流部材８と記載し、整流部材３６を第二整流部材３６と記載する。第二整流部材３６は両嵌込片部３５の間に挟まれた状態で閉塞部材３０の各上覆部３３の棟側に接着やビス等の固着具を用いて取り付けられている。各嵌込片部３５は対応する凸部１９の軒側端部の内側に嵌め込まれている。これにより、閉塞部材３０は凹凸屋根材１８に対して取り付けられている。なお、第二整流部材３６は閉塞部材３０と一体に形成してもよい。
【００２８】
図１に示されるように凹凸屋根材１８の各凸部１９の軒側端部に設けられた第二整流部材３６は、対応する導入部２６の内側空間の屋外側に位置している。各第二整流部材３６は、上覆部３３の棟側の面に沿う前面部３７と、凸部１９の下面に沿う上面部３８と、前面部３７の下縁と上面部３８の棟側縁とを接続する整流面部３９を有している。以下、第一整流部材８の整流面部１４を第一整流面部１４と記載し、第二整流部材３６の整流面部３９を第二整流面部３９と記載する。
【００２９】
第二整流面部３９は上方に行く程棟側に近づくように段階的に曲げられている。第二整流面部３９は凸部１９の上面部と閉塞部材３０の上覆部３３とでなす入隅部に向かって凸となる断面略弧状に形成されている。このため、塞ぎ部材９の通気孔１６を介して導入部２６の内側に流れ込んだ外気は、第二整流面部３９に沿って徐々に棟側の通気空間２４に向かう流れとなるよう整流される。従って、外気が導入部２６を介して通気空間２４に流れる際の圧力損失が小さくなり、通気空間２４に外気が導入されやすくなる。なお、第二整流面部３９は上方に行く程棟側に近づくように湾曲させてもよい。また、第二整流面部３９は上方に行く程棟側に近づくように傾斜させてもよい。
【００３０】
閉塞部材３０の下覆部３２は縁片部１７の屋外側の面に沿っている。下覆部３２の下端部は縁片部１７よりも下側に突出している。下覆部３２は第一整流部材８の沿片１１に対向し、沿片１１と略平行である。下覆部３２と沿片１１の間には、下側に開口する空間４９が形成されている。空間４９は通気孔１６及び導入部２６の内側空間を介して通気空間２４に連通している。すなわち、外気は、空間４９、通気孔１６、及び導入部２６の内側空間を順に通って通気空間２４に導入されるようになっている。
【００３１】
下覆部３２は、溶接や接着により縁片部１７に接続する、又はビス等の固着具を用いて連結する、若しくは縁片部１７と一体に形成する等してもよい。このように閉塞部材３０と塞ぎ部材９を一体的に設けることにより、部材数を少なくし、また、施工の手間を軽減できる。また、この場合、前述したように塞ぎ部材９と第一整流部材８を一体的に設けて、第二整流部材３６と第一整流部材８を閉塞部材３０及び塞ぎ部材９を介して連結し、第一整流面部１４と第二整流面部３９を塞ぎ部１２を介して連結してもよい。このようにすることで、部品数を削減でき、また、施工の手間を軽減できる。
【００３２】
図１に示されるように鼻隠し３の屋外側には、軒樋４０が鼻隠し３に沿って設けられている。軒樋４０は合成樹脂製である。軒樋４０は取付具（不図示）を介して軒部２の屋外側の面に取り付けられている。軒樋４０は上方に開口する溝形に形成され、底部４１と、底部４１の屋外側縁部から立ち上がる屋外側壁部４３と、底部４１の屋内側縁部から立ち上がる屋内側壁部４４を備えている。屋外側壁部４３の上縁及び屋内側壁部４４の上縁の夫々には、断面溝形の軒樋４０の内側に向かって突出する補強用の耳部４５、４６が形成されている。耳部４５、４６は断面Ｌ字状に形成されている。
【００３３】
軒樋４０の屋内側壁部４４とこれに対向する鼻隠し３の間には、吸気用隙間４７が形成されている。吸気用隙間４７は屋内側壁部４４の下端部と鼻隠し３の下端部の間から下側に開口している。軒樋４０の屋内側壁部４４は上端部を除いて鼻隠し３の屋外側の面と略平行な板状に形成されている。
【００３４】
ここで、屋内側壁部４４の上端部は上方に行く程鼻隠し３から離れるように曲げられている。これにより、屋内側壁部４４の上端部の屋内側の面を、上方に行く程鼻隠し３から徐々に離れる整流面部４８としている。以下、整流面部４８を第三整流面部４８と記載する。吸気用隙間４７は、第三整流面部４８とこれに対向する第一整流面部１４の間から、下覆部３２と沿片１１の間の空間４９側に開口している。このため、鼻隠し３の下側の外気は、吸気用隙間４７を介して通気空間２４に導入されるようになっている。
【００３５】
前述のように第三整流面部４８は上方に行く程鼻隠し３から離れるように曲がっている。また、鼻隠し３と野地板５の突出部６によって構成される入隅部７に設けられた第一整流面部１４も上方程鼻隠し３から離れるように曲がっている。このため、外気が吸気用隙間４７から導入部２６の内側に向かう際の圧力損失は小さくなり、通気空間２４には外気が導入されやすくなっている。また、第三整流面部４８の上部５０は上方程屋外側に位置するように傾斜しており、この上部５０の屋外側への延長線上には下覆部３２又は塞ぎ部１２が位置している。さらに第一整流面部１４の略水平な上端部の屋外側の延長線上に下覆部３２が位置している。このため、吸気用隙間４７の外気は導入部２６の内側に流れ易くなっている。
【００３６】
また、第三整流面部４８の上端は塞ぎ部１２の棟側端部の下方に位置している。さらに軒樋４０の屋内側の耳部４５は第三整流面部４８の上端から下方に向かって突出している。加えて、軒樋４０の屋外側の耳部４６は閉塞部材３０の下覆部３２の下縁よりも屋外側に位置している。これらにより、閉塞部３１の屋外側に直接付着した雨水あるいは凹凸屋根材１８の上面から閉塞部３１の屋外側に面に沿って流れた雨水は、軒樋４０に落下して軒樋４０で受けられるようになっている。また、各通気空間２４に雨水が浸入した場合には、塞ぎ部１２の各通気孔１６から排出された雨水も軒樋４０で受けられるようになっている。
【００３７】
本実施形態では、図２に示されるように複数の凹凸屋根材１８で構成される屋根面上に、機能パネルとしての太陽光発電パネル５２が設けられている。太陽光発電パネル５２は、シリコンを主材料とした半導体素子により太陽光エネルギーを電気エネルギーに変換して出力するものである。太陽光発電パネル５２は、上下両面で受光して発電可能な両面受光型のパネルであってもよいし、上面のみで受光して発電可能なパネルであってもよい。
【００３８】
太陽光発電パネル５２は軒棟方向に隣接して複数設けられている。各太陽光発電パネル５２は複数の凹凸屋根材１８に跨って設けられている。凹凸屋根材１８同士を連結する連結具２１のうち任意の連結具２１には、図４に示されるようにカバー部材２３よりも上方に突出するボルト５３が設けられている。各太陽光発電パネル５２はこれらボルト５３を用いて屋根面上に固定されている。
【００３９】
図２に示されるように各太陽光発電パネル５２は複数の凸部１９の上面に跨って載置されている。このように太陽光発電パネル５２を凸部１９の上面に載置することで、通気空間２４を流れる外気により太陽光発電パネル５２を冷却することができる。太陽光発電パネル５２は、周囲の雰囲気温度が高い場合や、直射日光が長時間照射された場合等に、発電素子が高温になって発電効率（変換効率）が低下する恐れがある。しかし、本実施形態では太陽光発電パネル５２を通気空間２４を流れる外気により冷却することができるので、太陽光発電パネル５２の発電効率の低下を抑えることができる。
【００４０】
各太陽光発電パネル５２とこの下方に位置する凹凸屋根材１８の間には、太陽光発電パネル５２と凹凸屋根材１８の凹部２０で囲まれた通気空間５４が形成されている。以下、通気空間２４を第一通気空間２４と記載し、通気空間５４を第二通気空間５４と記載する。
【００４１】
第二通気空間５４は太陽光発電パネル５２で閉塞された凹部２０と同数形成されている。各第二通気空間５４は、太陽光発電パネル５２の軒棟方向における全長に亘って形成されている。下側の太陽光発電パネル５２によって形成される第二通気空間５４（以下、下側第二通気空間５４）は、上側の太陽光発電パネル５２によって形成される第二通気空間５４（以下、上側第二通気空間５４）と連通している。
【００４２】
図２に示されるように各下側第二通気空間５４の軒側端部４２は軒側に開口している。図４に示されるように各上側第二通気空間５４の棟側端部５５は棟側に開口している。このため、外気は下側第二通気空間５４に軒側端部４２から導入され、下側第二通気空間５４及び対応する上側第二通気空間５４を通過した後、上側第二通気空間５４の棟側端部５５から排出されるようになっている。各第二通気空間５４を通る外気によっても太陽光発電パネル５２を冷却することができる。なお、各第二通気空間５４における外気は、軒側から棟側に向かって外気が流れやすくなっている。軒側に向かって下り傾斜した凹凸屋根材１８に当たった風が棟側に向かって流れやすく、また、各第二通気空間５４において棟側に向かう自然対流が生じるからである。
【００４３】
以上説明した本実施形態の屋根構造では、凹凸屋根材１８が野地板５上に設けられて、凹凸屋根材１８の凸部１９と野地板５との間に第一通気空間２４が形成されている。このため、第一通気空間２４に外気を通して野地板５と凹凸屋根材１８の間の通気性を高めることができる。また、凹凸屋根材１８は軒棟方向において野地板５の軒側端縁よりも屋外側に突出する出代部２５を有し、この出代部２５における凸部１９の内側から第一通気空間２４に外気が導入される。このため、通気孔１６側から導入部２６の内側に至った外気を出代部２５における凸部１９の上面部により棟側に誘導することができる。従って、第一通気空間２４の通気性を高められる。また、出代部２５が設けられた軒先における鼻隠し３と野地板５の鼻隠し３よりも屋外側に突出した突出部６とでなす入隅部７に、上方に行く程鼻隠し３から離れる第一整流面部１４が設けられている。このようにすることで、鼻隠し３の屋外側の面に沿って上昇する外気を第一整流面部１４によって導入部２６の内側にスムーズに向かうように整流することができる。このため、外気が導入部２６の内側に向かう際の圧力損失が小さくなり、外気が第一通気空間２４に導入されやすくなる。
【００４４】
また、本実施形態では、凸部１９の軒側端部に導入部２６の内側空間の屋外側を閉塞する閉塞部３１が設けられている。このため、屋外側から雨水等が導入部２６の内側に入り込み難くなっている。
【００４５】
また、本実施形態では鼻隠し３に沿って軒樋４０が設けられ、軒樋４０の屋内側壁部４４と鼻隠し３との間に吸気用隙間４７が形成されている。このため、吸気用隙間４７を上昇する外気を第一整流面部１４によって導入部２６の内側に向かうように整流することができる。
【００４６】
なお、本実施形態では機能パネルを太陽光発電パネル３５で構成したが、その他の機能を有するパネルで構成しても構わない。また、機能パネルは省略可能である。また、本発明は片流れ屋根だけではなく切妻屋根等のその他の形状の屋根にも適用可能である。その他、本発明は上記し且つ図面に示した実施形態にのみ限定されるものではなく、要旨を逸脱しない範囲内で適宜変更して実施し得るものである。
【符号の説明】
【００４７】
３  鼻隠し
５  野地板
６  突出部
７  入隅部
１４  第一整流面部
１８  凹凸屋根材
１９  凸部
２０  凹部
２４  第一通気空間
２５  出代部
２６  導入部
【図１】
2014020042.tif 000003
【図２】
2014020042.tif 000004
【図３】
2014020042.tif 000005
【図４】
2014020042.tif 000006
【図５】
2014020042.tif 000007